(57)【要約】  【課題】建設業界においてコミュニケーションの効率化を実現することが可能な建設業用コミュニケーションシステムを提供する。  【解決手段】建設業用コミュニケーションシステムは、建設業用データベース（３０）に記録されている工事関係者の属性情報に基づいて、特定の属性を有する複数の工事関係者を参加メンバーとし当該複数の参加メンバー間で情報の遣り取りが可能なルームを自動的に作成するルーム自動作成部（４２）を有する。【選択図】図１
2018136699.tif 000002
【特許請求の範囲】
【請求項１】
建設業用データベースに記録されている工事関係者の属性情報に基づいて、特定の属性を有する複数の工事関係者を参加メンバーとし当該複数の参加メンバー間で情報の遣り取りが可能なルームを自動的に作成するルーム自動作成部を具備する、ことを特徴とする建設業用コミュニケーションシステム。
【請求項２】
前記ルーム自動作成部は建設現場毎にルームを作成する、ことを特徴とする請求項１に記載の建設業用コミュニケーションシステム。
【請求項３】
前記ルーム作成部は、所定の建設現場に関与する元請企業のデータベースユーザ、下請企業のデータベースユーザ及び作業員を参加メンバーとする現場全体ルーム、所定の建設現場に関与する元請企業のデータベースユーザ及び職長を参加メンバーとする元請・職長ルーム、所定の建設現場に関与する職長を参加メンバーとする職長会ルーム、所定の建設現場に関与し特定の工種を担当する下請企業のデータベースユーザ及び作業員を参加メンバーとする編成別ルーム、所定の建設現場に関与する特定の企業及び当該企業に関係する作業員を参加メンバーとする企業別ルームの内の少なくとも１つのルームを作成する、ことを特徴とする請求項２に記載の建設業用コミュニケーションシステム。
【請求項４】
前記ルーム自動作成部は企業毎にルームを作成する、ことを特徴とする請求項１に記載の建設業用コミュニケーションシステム。
【請求項５】
前記ルーム自動作成部は、特定の下請企業のデータベースユーザ及び当該特定の下請企業に関係する作業員を参加メンバーとする企業全体ルーム、元請企業のデータベースユーザを参加メンバーとする元請ルームの内の少なくとも１つのルームを作成する、ことを特徴とする請求項４に記載の建設業用コミュニケーションシステム。
【請求項６】
前記ルーム自動作成部は、データベースに記録されている情報の更新に応じて、ルームを新たに作成する又は既成のルームの内容を更新する、ことを特徴とする請求項１に記載の建設業用コミュニケーションシステム。
【請求項７】
建設業用データベースに記録されている工事関係者の属性情報に基づいて、特定の属性を有する複数の工事関係者を参加メンバーとし当該複数の参加メンバー間で情報の遣り取りが可能なルームを自動的に作成するルーム自動作成ステップを具備する、ことを特徴とする建設業用コミュニケーション方法。
【請求項８】
コンピュータに、建設業用データベースに記録されている工事関係者の属性情報に基づいて、特定の属性を有する複数の工事関係者を参加メンバーとし当該複数の参加メンバー間で情報の遣り取りが可能なルームを自動的に作成するルーム自動作成機能を実現させる、ことを特徴とする建設業用コミュニケーションプログラム。
【発明の詳細な説明】
【技術分野】
【０００１】
本発明は、建設業用のコミュニケーションシステム、コミュニケーション方法及びコミュニケーションプログラムに関する。
【背景技術】
【０００２】
従来、業務の生産性を向上させるため、コミュニケーションの効率化を実現するための様々なコミュニケーションシステムが提案されている（例えば、特許文献１参照）。
【先行技術文献】
【特許文献】
【０００３】
【特許文献１】特開２００９−８６９７７号公報
【発明の概要】
【発明が解決しようとする課題】
【０００４】
しかしながら、建設業界では、例えば、建設現場には様々な工種を担当する多数の作業員が従事し、作業員の入替わりも頻繁であること、元請企業から下請企業へと多階層の工事契約関係をなし、関係企業が多数となること等から、コミュニケーションの効率化を実現することが困難であった。
【０００５】
本発明は上記課題に鑑みてなされたものであり、その目的は、建設業界においてコミュニケーションの効率化を実現することが可能な建設業用コミュニケーションシステム、コミュニケーション方法及びコミュニケーションプログラムを提供することにある。
【課題を解決するための手段】
【０００６】
本発明の第1実施態様は、建設業用データベースに記録されている工事関係者の属性情報に基づいて、特定の属性を有する複数の工事関係者を参加メンバーとし当該複数の参加メンバー間で情報の遣り取りが可能なルームを自動的に作成するルーム自動作成部を具備する、ことを特徴とする建設業用コミュニケーションシステムである。
【０００７】
本実施態様では、建設業用データベースに記録されている工事関係者の属性情報に基づいて、特定の属性を有する複数の工事関係者を参加メンバーとするルームが自動的に作成されている。そして、当該ルームを利用して、特定の属性を有する複数の参加メンバー間で情報を遣り取りすることができるため、建設業界においてコミュニケーションの効率化を実現することが可能となっている。
【０００８】
本発明の第２実施態様は、建設業用データベースに記録されている工事関係者の属性情報に基づいて、特定の属性を有する複数の工事関係者を参加メンバーとし当該複数の参加メンバー間で情報の遣り取りが可能なルームを自動的に作成するルーム自動作成ステップを具備する、ことを特徴とする建設業用コミュニケーション方法である。
本実施態様では、第１実施態様と同様の作用効果を奏する。
【０００９】
本発明の第３実施態様は、コンピュータに、建設業用データベースに記録されている工事関係者の属性情報に基づいて、特定の属性を有する複数の工事関係者を参加メンバーとし当該複数の参加メンバー間で情報の遣り取りが可能なルームを自動的に作成するルーム自動作成機能を実現させる、ことを特徴とする建設業用コミュニケーションプログラムである。
本実施態様では、第１実施態様と同様の作用効果を奏する。
【発明の効果】
【００１０】
本発明では、建設業界におけるコミュニケーションの効率化を実現することが可能となっている。
【図面の簡単な説明】
【００１１】
【図１】本発明の一実施形態の建設業用コミュニケーションシステムを示すブロック図。
【図２】本発明の一実施形態の建設業用コミュニケーション方法を示すフロー図。
【図３】本発明の一実施形態の端末表示画面を示す模式図。
【発明を実施するための形態】
【００１２】
図１乃至図３を参照して、本発明の一実施形態について説明する。
図１を参照して、本実施形態の建設業用コミュニケーションシステムについて説明する。
本実施形態の建設業用コミュニケーションシステムについては、サーバ１０、並びに、当該サーバ１０に接続されるデータベース用ユーザ端末（以下、「ＤＢ用端末」という。）１５及びコミュニケーションシステム用ユーザ端末（以下、「ＣＳ用端末」という。）２０によって構成されている。ＤＢ用端末１５とＣＳ用端末２０とは両者を兼ねるものであってもよい。ＤＢ用端末１５及びＣＳ用端末２０としては、パーソナルコンピュータ、スマートフォン等が用いられる。
【００１３】
サーバ１０は、データベース部３０及び演算処理部４０を有する。
データベース部３０は、データベースユーザ（以下、「ＤＢユーザ」という。）によって、ＤＢ用端末１５から工事関係者の属性情報を含む工事関係情報を入力され、工事関係情報を記録する機能を有する。
【００１４】
演算処理部４０は、ルーム自動作成部４２及びコミュニケーション部４４を有する。ルーム自動作成部４２は、データベース部３０の工事関係情報が更新されるのに同期して、新たなルームを作成するか、既成のルームの内容を更新する機能を有する。ルーム自動作成部４２は、新たなルームを作成する場合には、データベース部３０に記録された工事関係者の属性情報に基づき、特定の属性を有する複数の工事関係者を参加メンバーとし、当該複数の参加メンバー間で各種情報の遣り取りが可能なルームを自動的に作成する。コミュニケーション部４４は、ＣＳ用端末２０と接続され、コミュニケーションシステムユーザ（以下、「ＣＳユーザ」という。）を認証して当該ＣＳユーザが参加メンバーとなっているルームを自動的に使用可能とし、当該ルームにおける複数の参加メンバー間での各種情報の遣り取りを実現する機能を有する。
【００１５】
図２を参照して、本実施形態の建設業用コミュニケーション方法について説明する。
工事関係情報入力ステップ（Ｓ１）
工事関係情報入力ステップでは、ＤＢユーザによって、工事関係者の属性情報を含む工事関係情報が入力される。ＤＢユーザとしては、元請企業の担当者、下請企業の担当者等が想定される。企業とは業務を実施可能なあらゆる主体を含み、元請企業としては大手総合建設会社等が想定され、下請企業としては、各種会社、個人事業主、一人親方等が想定される。工事関係情報としては、企業間の工事契約関係情報、作業員情報等が用いられる。企業間の工事契約関係情報としては、元請企業から下請企業への多階層の工事契約関係、下請企業の担当する工種等の情報が用いられ、作業員情報としては、作業員名、当該作業員の各建設現場への登録の有無、当該作業員の受入教育の完了の有無、当該作業員の担当する工種、当該作業員の位階、当該作業員の登録先の下請企業等の情報が用いられる。工種としては壁枠等が想定され、位階としては職長等が想定される。
工事関係情報については、新たな建設現場が発生した場合の他、工事の進捗によって建設現場への下請企業ないし作業員の入退場があった場合等に適宜更新される。
【００１６】
工事関係情報記録ステップ（Ｓ２）
工事関係情報記録ステップでは、入力された工事関係情報をデータベースに記録する。
【００１７】
ルーム自動作成ステップ（Ｓ３）
ルーム自動作成ステップでは、工事関係情報の更新に同期して、ルームの自動作成ないし既成のルームの内容の更新が行われる。
【００１８】
即ち、新たな建設現場の発生等があった場合には、データベースに記録されている工事関係者の属性情報に基づき、特定の属性を有する複数の工事関係者を参加メンバーとし、当該複数の参加メンバー間で各種情報の遣り取りが可能なルームを自動的に作成する。当該ルームについては、例えば、建設現場毎に作成されるルームと、企業毎に作成されるルームとがあり、下記の表に示すルーム等が用いられる。
【表１】
2018136699.tif 000003
また、工事の進捗による建設現場への下請企業ないし作業員の入退場等があった場合には、既成のルームの内容を更新する。
【００１９】
コミュニケーションステップ（Ｓ４）
コミュニケーションステップでは、ＣＳユーザによって、ＣＳ用端末にコミュニケーション用アプリケーションがダウンロードされる。ＣＳユーザが認証されると、当該ＣＳユーザが参加メンバーとなっているルームが自動的に使用可能となる。例えば、図３に示されるように、Ａ建設現場に関与し、型枠を担当する職長であり、下請企業Ｘの名簿に登録済みのＣＳユーザの場合には、ＣＳ用端末の表示画面には、建設現場Ａについての現場全体ルーム、元請・職長ルーム、職長会ルーム、型枠ルーム、Ｘ企業ルームが表示されて自動的に使用可能となり、さらに、下請企業Ｘについての企業全体ルームが表示されて自動的に使用可能となる。ＣＳユーザは自動的に使用可能となったルームにおいて、当該ルームの参加メンバーとメッセージ、図面、画像等の各種情報の遣り取りを行う。
【００２０】
本実施形態の建設業用コミュニケーションシステム及びコミュニケーション方法では、建設業用データベースに、企業間の工事契約関係情報、作業員情報等の工事関係者の属性情報を含む工事関係情報が記録されている。そして、当該工事関係情報に基づいて、建設現場毎の現場全体ルーム等や企業毎の企業全体ルーム等、特定の属性を有する複数の工事関係者を参加メンバーとするルームが自動的に作成されている。そして、当該ルームを利用して、ルームに参加している複数の参加メンバー間でメッセージ、図面、画像等の各種情報を遣り取りすることが可能となっており、建設業界においてコミュニケーションの効率化を実現することが可能となっている。
【００２１】
以上述べた一実施形態では、建設業用コミュニケーションシステム及びコミュニケーション方法について説明したが、コンピュータに当該コミュニケーションシステムの各機能を実現させるためのプログラム、当該コミュニケーション方法の各ステップを実行させるためのプログラムも本願発明の範囲に含まれる。
【符号の説明】
【００２２】
１０  サーバ
１５  データベース用ユーザ端末（ＤＢ用端末）
２０  コミュニケーションシステム用ユーザ端末（ＣＳ用端末）
３０  データベース部
４０  演算処理部
４２  ルーム自動作成部
４４  コミュニケーション部
【図１】
2018136699.tif 000004
【図２】
2018136699.tif 000005
【図３】
2018136699.tif 000006